(57)【要約】【課題】陰極線管におけるスクリーン上の諸特性を最適にするための磁界を発生させるため、水平偏向コイルまたは垂直偏向コイルの銅線密度を自由にコントロールすることができ且つ、コイル成形時の銅線の位置を製造上安定させることのできる偏向ヨークを提供することを目的とする。【解決手段】水平偏向電流が供給される鞍型の水平偏向コイル１と垂直偏向電流が供給される鞍型またはトロイダル型垂直偏向コイルと、磁気コアとを備えた陰極線管用偏向ヨークにおいて、水平偏向コイル１の陰極線管電子銃側ストレート部水平軸上分割面のコイル肉厚幅ｈｇｔ及び、垂直偏向コイルの陰極線管電子銃側ストレート部垂直軸上分割面のコイル肉厚幅が陰極線管スクリーン側から陰極線管電子銃側端に行くに従い薄くした。【選択図】　図１
2004039362.tif 000002
【特許請求の範囲】
【請求項１】
水平偏向電流が供給される鞍型の水平偏向コイルと、垂直偏向電流が供給される鞍型またはトロイダル型垂直偏向コイルと、磁気コアとを備えた陰極線管用偏向ヨークであって、水平偏向コイルの水平軸上分割面のコイルが、陰極線管スクリーン側コーン部コイル肉厚幅より陰極線管電子銃側ストレート部コイル肉厚幅の方が薄くなることを特徴とする偏向ヨーク。
【請求項２】
水平偏向コイルの陰極線管電子銃側ストレート部水平軸上分割面のコイル肉厚幅及び垂直偏向コイルの陰極線管電子銃側ストレート部垂直軸上分割面のコイル肉厚幅が、陰極線管スクリーン側から陰極線管電子銃側端に行くに従い薄くなることを特徴とする請求項１記載の偏向ヨーク。
【発明の詳細な説明】
【０００１】
【発明の属する技術分野】
本発明は、陰極線管に取り付けて使用する偏向ヨークに係り、特に諸特性を最適にする磁界を発生させるためのコイル銅線の密度を自由にコントロールすることができ且つ、コイル成形時の銅線の位置を製造上安定させることのできる偏向ヨークに関するものである。
【０００２】
【従来の技術】
図３は従来の偏向ヨークの外観図である。図３において、１は鞍型の水平偏向コイル、２は水平偏向コイル１と垂直偏向コイル３を絶縁するための絶縁枠、３は鞍型の垂直偏向コイル、４は磁気コアである。従来の偏向ヨークの構成としては、一番内側に水平偏向コイル１、次に絶縁枠２、次に垂直偏向コイル３、次に磁気コア４が取り付けられる。
【０００３】
図４は従来の陰極線管に装着された水平偏向コイルと垂直偏向コイルの構造図である。図４において、５は陰極線管のコーン部、６は陰極線管の電子銃、７は陰極線管のスクリーン面、ｈｇｔは水平偏向コイル１の陰極線管電子銃側ストレート部水平軸上分割面のコイル肉厚幅、ｖｇｔは垂直偏向コイル３の陰極線管電子銃側ストレート部垂直軸上分割面のコイル肉厚幅、ｈｓｔは水平偏向コイル１の陰極線管スクリーン側コーン部水平軸上分割面のコイル肉厚幅、ｖｓｔは垂直偏向コイル３の陰極線管スクリーン側コーン部垂直軸上分割面のコイル肉厚幅である。
【０００４】
水平偏向コイル１又は垂直偏向コイル３の形状は陰極線管のコーン部５に近似した陰極線管電子銃側から陰極線管スクリーン側に広がるコーン状の２次曲線であり、コイル設計上銅線断面積を一定にするため、水平偏向コイル１の水平軸上分割面のコイル肉厚幅及び、垂直偏向コイル３の垂直軸上分割面のコイル肉厚幅はコイル断面の円周長が短い陰極線管電子銃側より、コイル断面の円周長が長いスクリーン側の方にいくに従い軸上分割面のコイル肉厚幅がなだらかに小さくなり、水平偏向コイル１及び、垂直偏向コイル３の陰極線管電子銃側ストレート部水平、垂直軸上分割面のコイル肉厚幅ｈｇｔ，ｖｇｔが陰極線管スクリーン側から陰極線管電子銃側端に行くに従い厚くなるように設計されている。
【０００５】
図５は従来の偏向ヨークのミスコンバーゼンス状態図であって、水平偏向コイル１により陰極線管の電子銃６から出された電子ビームが水平方向へ偏向されたときＲｅｄビームｒ、Ｂｌｕｅビームｂ、Ｇｒｅｅｎビームｇが水平偏向コイル１の電子銃側コイル形状により影響を受け、ミスコンバーゼンスが発生する状態を示している。図５において、８は水平偏向コイル１の電子銃側部分であり、水平偏向コイル１の電子銃側部分８の発生する磁界がピンクッション磁界であるためスクリーン右側においてサイドビームであるＲｅｄビームｒ及びＢｌｕｅビームｂがＧｒｅｅｎビームｇより多く偏向される結果となりミスコンバーゼンスが発生する。
【０００６】
９はミスコンバーゼンス対策のために水平偏向コイル１による磁界をコントロールすることを目的とした水平偏向コイル１の電子銃側部分８に設けられた空隙である。空隙９はコイル巻線成形時、空隙９の場所にピンを立てることで可能となる。ｒ’は空隙９により変化したＲｅｄビーム、ｂ’は空隙９により変化したＢｌｕｅビームを示す。
【０００７】
図５において、水平偏向コイル１の電子銃側部分８に設けられた空隙９により銅線の密度が水平軸上で粗密となりサイドビームであるＲｅｄビームｒ及びＢｌｕｅビームｂの偏向量が空隙９のない時より少なくなるため、Ｒｅｄビームｒ及びＢｌｕｅビームｂがそれぞれｒ’、ｂ’に移動しミスコンバーゼンスが改善できる。図６は従来の水平偏向コイルの電子銃側部分の断面図であり、偏向ヨークは、コイル断面上に空隙９がある。
【０００８】
【発明が解決しようとする課題】
以上のような従来の偏向ヨークは、コンバーゼンスを最適にする手法として、コイル断面上に空隙を作ることにより水平偏向コイルによる磁界をコントロールするため、空隙によりコイル巻線成形時、銅線位置が不安定になり、安定した性能が得られないという欠点があった。
【０００９】
そこで本発明は、諸特性を最適にする磁界を発生させるためのコイル銅線の密度を自由にコントロールすることができ且つ、コイル成形時の銅線の位置を製造上安定させることのできる偏向ヨークを提供することを目的とする。
【００１０】
【課題を解決するための手段】
本発明は、水平偏向電流が供給される鞍型の水平偏向コイルと、垂直偏向電流が供給される鞍型またはトロイダル型垂直偏向コイルと、磁気コアとを備えた陰極線管用偏向ヨークであって、水平偏向コイルの水平軸上分割面のコイルが、陰極線管スクリーン側コーン部コイル肉厚幅より陰極線管電子銃側ストレート部コイル肉厚幅の方が薄くなるようにした。
【００１１】
本発明によれば、諸特性を最適にする磁界を発生させるためのコイル銅線の密度を自由にコントロールすることができ且つ、コイル成形時の銅線の位置を製造上安定させることのできる偏向ヨークを提供することができる。
【００１２】
【発明の実施の形態】
請求項１の本発明は、水平偏向電流が供給される鞍型の水平偏向コイルと、垂直偏向電流が供給される鞍型またはトロイダル型垂直偏向コイルと、磁気コアとを備えた陰極線管用偏向ヨークであって、水平偏向コイルの水平軸上分割面のコイルが、陰極線管スクリーン側コーン部コイル肉厚幅より陰極線管電子銃側ストレート部コイル肉厚幅の方が薄くなるようにした。
【００１３】
請求項２の本発明は、水平偏向コイルの陰極線管電子銃側ストレート部水平軸上分割面のコイル肉厚幅及び垂直偏向コイルの陰極線管電子銃側ストレート部垂直軸上分割面のコイル肉厚幅が、陰極線管スクリーン側から陰極線管電子銃側端に行くに従い薄くなるようにした。
【００１４】
上記構成により、諸特性を最適にする磁界を発生させるためのコイル銅線の密度を自由にコントロールすることができ且つ、コイル成形時の銅線の位置を製造上安定させることができる。
【００１５】
以下、本発明の実施の形態を図面を用いて説明するが、主としてコンバーゼンスの項目の中で、ＧｒｅｅｎとＲｅｄ、Ｂｌｕｅのミスコンバーゼンスの改善に関するものとして説明する。
【００１６】
図１は本発明の一実施の形態における陰極線管に装着された水平偏向コイルと垂直偏向コイルの構造図である。図１において、水平偏向コイル１の水平軸上分割面のコイルが、陰極線管スクリーン側コーン部水平軸上分割面のコイル肉厚幅ｈｓｔより陰極線管電子銃側ストレート部水平軸上分割面のコイル肉厚幅ｈｇｔの方が薄くなり、また水平偏向コイル１の陰極線管電子銃側ストレート部水平軸上分割面のコイル肉厚幅ｈｇｔが陰極線管スクリーン側から陰極線管電子銃側端に行くに従い薄くなる構造となっている。
【００１７】
図１においてｒ’は前記構造により変化したＲｅｄビーム、ｂ’は前記構造により変化したＢｌｕｅビームを示す。図１において、前記構造により銅線の密度が水平軸上で粗密となりサイドビームであるＲｅｄビームｒ及びＢｌｕｅビームｂの偏向量が空隙のない時より少なくなるため、Ｒｅｄビームｒ及びＢｌｕｅビームｂがそれぞれｒ’、ｂ’に移動し前記ミスコンバーゼンスが改善できる。
【００１８】
図２は本発明の一実施の形態における水平偏向コイルの電子銃側部分の断面図である。従来のようにコイル断面上に空隙を作ることにより水平偏向コイルによる磁界をコントロールするかわりに、水平偏向コイル１の水平軸上分割面のコイルが、陰極線管スクリーン側コーン部水平軸上分割面のコイル肉厚幅ｈｓｔより陰極線管電子銃側ストレート部水平軸上分割面のコイル肉厚幅ｈｇｔの方が薄くなる構造とすることで磁界のコントロールを行い同等の磁界分布を発生させるようにしている。したがって従来の偏向ヨークのような水平偏向コイル断面上に空隙をなくすことができるので銅線の位置が不安定となることはない。
【００１９】
【発明の効果】
以上説明したように本発明によれば、諸特性を最適にする磁界を発生させるためのコイル銅線の密度を自由にコントロールすることができ且つ、コイル成形時の銅線の位置を製造上安定させることができる。
【図面の簡単な説明】
【図１】本発明の一実施の形態における陰極線管に装着された水平偏向コイルと垂直偏向コイルの構造図
【図２】本発明の一実施の形態における水平偏向コイルの電子銃側部分の断面図
【図３】従来の偏向ヨークの外観図
【図４】従来の陰極線管に装着された水平偏向コイルと垂直偏向コイルの構造図
【図５】従来の偏向ヨークのミスコンバーゼンス状態図
【図６】従来の水平偏向コイルの電子銃側部分の断面図
【符号の説明】
１　水平偏向コイル
２　絶縁枠
３　垂直偏向コイル
４　磁気コア
５　陰極線管のコーン部
６　陰極線管の電子銃
７　陰極線管のスクリーン面
【図１】
2004039362.tif 000003
【図２】
2004039362.tif 000004
【図３】
2004039362.tif 000005
【図４】
2004039362.tif 000006
【図５】
2004039362.tif 000007
【図６】
2004039362.tif 000008